(57)【要約】【課題】  スライド開閉型携帯電話等の電子機器において、弾性部材の大きさや形状に制限されずにスライド量を確保できるスライド装置並びにスライド装置を備えた電子機器を提供することを目的とする。【解決手段】  第一部材３のガイド溝３ａに摺動可能に設けられた第二部材４に長穴４ｂを設け、第一連結穴３ｂと長穴４ｂを摺動する可動部材５の第二連結穴５ａとを連結するねじりコイルばね６は、第二部材４が第一摺動端４ｃにある場合に、長穴４ｂの第一端４ｅにある可動部材５と連結して第一端４ｅの外側に伸張状態にあり、第一摺動端４ｃから第二摺動端４ｄまでの摺動の際に、第二連結部５ａが第一連結部３ｂを超えるまでは第二部材４を戻り方向に付勢し、超えると進み方向に付勢し、第二摺動端４ｄまで摺動した後は、長穴４ｂの第二端４ｆにある可動部材５と連結して第二端４ｆの外側に伸張状態にあるように構成する。【選択図】    図７
2008109368.tif 000002
【特許請求の範囲】
【請求項１】
ガイド溝が設けられた第一部材と、
この第一部材の前記ガイド溝に摺動可能に設けられ、摺動方向に長い長穴を有する第二部材と、
前記長穴を摺動する第三部材と、
一端は前記第一部材の第一連結部と回動可能に連結し、他端は前記第三部材の第二連結部と連結して回動可能とし、前記第一部材が前記第二部材の一方の第一摺動端にある場合には、前記第二部材の前記第一摺動端と同じ側にあって前記長穴の第一端側にある前記第三部材と連結して前記長穴の前記第一端の外側に伸張状態にあり、前記第一部材が前記第二部材の前記第一摺動端から他方の第二摺動端までの摺動の際に、前記第三部材の前記第二連結部が摺動方向に対して前記第一部材の前記第一連結部の位置を超えるまでは、前記第二部材を戻り方向に付勢し、前記第一部材の前記第一連結部を超えると進み方向に付勢し、前記第一部材が前記第二部材の前記第二摺動端まで摺動した後には、前記第二部材の前記第二摺動端と同じ側にあって前記長穴の第二端側にある前記第三部材と連結して前記長穴の前記第二端の外側に伸張状態にある弾性部材とを備えたスライド装置。
【請求項２】
弾性部材は、中央部に巻回したコイル部が設けられたへ字状のねじりコイルばねであることを特徴とする請求項１に記載のスライド装置。
【請求項３】
請求項１または請求項２のいずれかに記載のスライド装置と、
このスライド装置の第一部材が設けられた第一筐体と、
前記スライド装置の第二部材が設けられ、第一部材が前記第二部材の一方の第一摺動端にある場合には、前記第一筐体全体と重なって閉状態となり、前記第一部材が前記第二部材の他方の第二摺動端まで摺動した場合には、前記第一筐体の覆われていた一部が露出して開状態となるように開閉可能に設けられた第二筐体とを備えた電子機器。
【請求項４】
更に、第一筐体側の第二筐体に面する側に設けられた第一磁石と、
前記第二筐体側の前記第一筐体に面する側に、閉状態又は開状態で前記第一筐体側の前記第一磁石とそれぞれ相対応する位置に設けられた第二磁石とを備えた請求項３に記載の電子機器。
【発明の詳細な説明】
【技術分野】
【０００１】
本発明は、スライド装置並びにスライド装置を備えた電子機器に関し、特に携帯電話等の携帯端末に好適なスライド装置並びにスライド装置を備えた電子機器に関するものである。
【背景技術】
【０００２】
携帯電話においては、使用態様の多様化に伴い、様々な形状で製品化されており、その一つにスライド開閉型携帯電話がある。従来のスライド開閉型携帯電話は、本体側筐体部の上側に表示側筐体部が重なるように設けられている。
【０００３】
本体側筐体部と表示側筐体部の間は、スライド装置で開閉自在に連結され、開いた状態で本体側筐体部の操作部が露出するように構成されている。スライド機構には、手動で開閉する方式、ばねの力を利用して開閉を補助する方式（以下、スライドアシスト方式と称する）、及びばねの力を利用して自動で開く方式等がある。
【０００４】
スライドアシスト方式においては、例えば、へ字状のねじりコイルばね等の弾性部材の両端部を本体側筐体部のスライド部材と表示側筐体部のスライド部材に連結して、開閉時の進み付勢と戻り付勢が生じる構成となっている（例えば、特許文献１参照）。
【０００５】
【特許文献１】特開２００５−２９５０２４号公報（００３４〜００４７段、図４）
【発明の開示】
【発明が解決しようとする課題】
【０００６】
しかしながら、上記従来のスライド装置では、弾性部材の両端部を本体側筐体部と表示側筐体部のスライド部材に直接連結しているため、スライド量が弾性部材の大きさや形状により制限されるという問題があった。また、スライド量の制限により本体側筐体部と表示側筐体部の形状も影響を受け、特に、本体側筐体部の操作部の面積が十分に取れず操作性が低下するという問題があった。
【０００７】
本発明は、上記のような問題を解決するためになされたものであり、弾性部材を設けたスライドアシスト方式のスライド開閉型携帯電話等の電子機器においても、弾性部材の大きさや形状に制限されることなく、スライド量を確保できるスライド装置並びにスライド装置を備えた電子機器を提供することを目的とする。
【課題を解決するための手段】
【０００８】
本発明に係るスライド装置は、ガイド溝が設けられた第一部材と、第一部材のガイド溝に摺動可能に設けられ、摺動方向に長い長穴を有する第二部材と、長穴を摺動する第三部材と、一端は第一部材の第一連結部と回動可能に連結し、他端は第三部材の第二連結部と連結して回動可能とし、第一部材が第二部材の一方の第一摺動端にある場合には、第二部材の第一摺動端と同じ側にあって長穴の第一端側にある第三部材と連結して長穴の第一端の外側に伸張状態にあり、第一部材が第二部材の第一摺動端から他方の第二摺動端までの摺動の際に、第三部材の第二連結部が摺動方向に対して第一部材の第一連結部の位置を超えるまでは、第二部材を戻り方向に付勢し、第一部材の第一連結部を超えると進み方向に付勢し、第一部材が第二部材の第二摺動端まで摺動した後には、第二部材の第二摺動端と同じ側にあって長穴の第二端側にある第三部材と連結して長穴の第二端の外側に伸張状態にある弾性部材とを備えたものである。
【０００９】
本発明に係るスライド装置を用いた電子機器は、上記のスライド装置と、スライド装置の第一部材が設けられた第一筐体と、スライド装置の第二部材が設けられ、第一部材が第二部材の一方の第一摺動端にある場合には、第一筐体全体と重なって閉状態となり、第一部材が第二部材の他方の第二摺動端まで摺動した場合には、第一筐体の覆われていた一部が露出して開状態となるように開閉可能に設けられた第二筐体とを備えたものである。
【発明の効果】
【００１０】
本発明によれば、スライド装置並びにスライド装置を備えた電子機器において、一端をスライド装置の第一部材に連結した弾性部材の他端を、スライド装置の第二部材に設けられた長穴を摺動する第三部材に連結することにより、長穴の長さ分のスライド量を増やすことができ、弾性部材の大きさや形状に制限されることなくスライド量を確保できる。
【発明を実施するための最良の形態】
【００１１】
以下、本発明に係るスライド装置並びにスライド装置を備えた電子機器の各種実施の形態について、図面に基づいて説明する。
図１乃至図４は、本実施の形態におけるスライド装置１０１を用いた携帯電話２０１の構成を示す斜視図であり、図１及び図２は、説明のため一部を透視図としている。図１は、携帯電話２０１を閉じた状態を示し、図２乃至図４は、開いた状態を示す。図５は、スライド装置１０１の分解斜視図である。
【００１２】
図１において、携帯電話２０１は、本体側筐体１、表示側筐体２、及びスライド装置１０１で構成されている。スライド装置１０１により、本体側筐体１上側の表示側筐体部２は、本体側筐体１上面に沿ってスライド移動し、図２に示すように、本体側筐体１上面の数字キーとしての第一操作部５１及びファンクションキーとしての第二操作部５２を露出して開いた状態となる。操作が終了すれば、表示側筐体部２は、元の位置にスライド移動して戻され、図１に示す、閉じた状態となる。
【００１３】
スライド装置１０１は、図５に示すように、第一部材３、第二部材４、第三部材としての可動部材５、弾性部材としてのへ字状のねじりコイルばね６、第一磁石７、第二磁石８ａ、８ｂで構成されている。
【００１４】
第一部材３は、断面がコ字状の板材であり、両端の内側にはそれぞれガイド溝３ａが設けられている。第一部材３の中央部には、２個のねじりコイルばね６のそれぞれの一端である第一連結端６ｂを連結する第一連結部としての第一連結穴３ｂが２個並設されている。また、第一部材３の両端部の内側には、それぞれ第一磁石７が設けられている。
【００１５】
第二部材４は、平板状の板材であり、第一部材３のガイド溝３ａに挟まれて摺動可能となるように、長手方向横の両端にレール部４ａが設けられている。第二部材４の中央部には、摺動方向に長い長穴４ｂが２個並設されている。また、第二部材４の四つの角部には、第一部材３に面する側に、第二磁石８ａ、８ｂが設けられている。
【００１６】
可動部材５は、第二部材４の２個の長穴４ｂそれぞれに摺動可能に設けられる。可動部材５の中央には、ねじりコイルばね６のそれぞれのもう一端である第二連結端６ｃを連結する第二連結部としての第二連結穴５ａがそれぞれ設けられている。
【００１７】
ねじりコイルばね６は、へ字状で、中央部にコイル部６ａを有し、両端部にはそれぞれ第一部材３の第一連結穴３ｂに連結する第一連結端６ｂと可動部材５の第二連結穴５ａに連結する第二連結端６ｃが設けられている。図６は、第二部材４に設けられた可動部材５の第二連結穴５ａと、ねじりコイルばね６の第二連結端６ｃの連結状態を示す断面図である。
【００１８】
第一連結端６ｂは、第一連結穴３ｂに対して回動可能に設けられており、第二連結端６ｃは、可動部材５と共に、長穴４ｂに対して摺動、かつ回動可能に設けられている。２個のねじりコイルばね６は、第二部材４のレール部４ａが第一部材３のガイド溝３ａを摺動すると共に、回転するが、互いに接触しない位置に設けられている。
【００１９】
第一磁石７は、第一部材３の両端部の内側に設けられ、第二磁石８ａ、８ｂは、第二部材４の四つの角部の第一部材３に面する側に設けられ、第二部材４が第一部材３の一方の摺動端である第一摺動端４ｃに位置する場合は、第一磁石７と第二磁石８ａが相対応する位置にあって互いに吸引力が働き、第二部材４が第一部材３の他方の摺動端である第二摺動端４ｄに位置する場合は、第一磁石７と第二磁石８ｂが相対応する位置にあって互いに吸引力が働くように設けられている。
【００２０】
次に、動作について説明する。図７は、スライド装置１０１の平面図である。スライド装置１０１は、第一部材３が第二部材４の第一摺動端４ｃに位置する図７（ａ）の状態から、第二部材４が第一部材３を摺動し、図７（ｂ）及び図７（ｃ）の状態を経て、第一部材３が第二部材４の第二摺動端４ｄに位置する図７（ｄ）に示す状態となる。
【００２１】
図７（ａ）において、第一部材３は第二部材４の第一摺動端４ｃに位置し、第一磁石７と第二磁石８ｂの吸引力により、状態を維持する。可動部材５は、それぞれ長穴４ｂの両端のうち第二部材４の第一摺動端４ｃ側にある第一端４ｅの位置にあり、ねじりコイルばね６は、それぞれ自然長の状態で、第一端４ｅの外側に位置する第一部材３の第一連結穴３ｂと可動部材５の第二連結穴５ａとを連結している。
【００２２】
第二部材４は、Ａ方向に第一磁石７と第二磁石８ｂの吸引力を超える外力が加わると、第一部材３を摺動し始める。可動部材５は、長穴４ｂの第一端４ｅから摺動し始め、ねじりコイルばね６が自然長の状態を保ったまま、長穴４ｂの第二端４ｆまで摺動する（図７（ｂ））。
【００２３】
図７（ｂ）において、第二部材４は、ねじりコイルばね６からＡ方向の外力に対して逆方向の戻り方向に付勢を受ける。ねじりコイルばね６からの戻り方向の付勢に抗して、更にＡ方向に外力が加わると、第二部材４は、ねじりコイルばね６を押し縮めながら摺動を続ける。ねじりコイルばね６は、コイル部６ａを中心に屈曲して縮むと共に、第一連結穴３ｂに連結する第一連結端６ｂを中心に回転し始める。
【００２４】
第二部材４が摺動しコイルばね６が回転し始めると、第二連結端６ｃがＡ方向に対して垂直方向の位置に第一連結穴３ｂが来るまで、ねじりコイルばね６は縮み続ける。第二連結端６ｃが上記位置を超えると、ねじりコイルばね６は伸び始め、第二連結端６ｃが連結する可動部材５は長穴４ｂの第一端４ｅまで戻る。
【００２５】
可動部材５が長穴４ｂの第一端４ｅまで戻ると、第二部材４は、伸び続けるねじりコイルばね６より、Ａ方向と同じ進み方向に付勢を受ける。第二部材４は、ねじりコイルばね６が自然長となるまで、進み方向の付勢を受けて摺動する（図７（ｃ））。
【００２６】
図７（ｃ）において、第二部材４は、ねじりコイルばね６が自然長となるまで進み方向への付勢を受けた後は、慣性力により、ねじりコイルばね６が自然長の状態を保ったまま、可動部材５が再度長穴４ｂの第一端４ｅから第二端４ｆまで摺動し、第二部材４も第二摺動端４ｄまで摺動する（図７（ｄ））。
【００２７】
図７（ｄ）においては、第一部材３は第二部材４の第二摺動端４ｄに位置し、第一磁石７と第二磁石８ａの吸引力により、状態を維持する。第二部材４は、Ａと逆方向に第一磁石７と第二磁石８ａの吸引力を超える外力が加わると、第一部材３を摺動し始め、図７（ａ）乃至図７（ｂ）の動作を逆方向で同様に繰り返す。
【００２８】
スライド装置１０１の第一部材３が第二部材４の第一摺動端４ｃに位置する状態が、携帯電話２０１においては、図１に示す閉じた状態であり、第二摺動端４ｄに位置する状態が、図２に示す開いた状態である。
【００２９】
図３及び図４に示す携帯電話２０１、２０２は、それぞれ本実施の形態におけるスライド装置１０１を用いた一例である。携帯電話２０２は、従来のスライド開閉型携帯電話、特にスライドアシスト方式のスライド開閉型携帯電話に比べ、スライド装置１０１のスライド量が大きく、第一操作部５１の面積を十分に確保することができる。
【００３０】
携帯電話２０１は、携帯電話２０２より長穴の長さを長くして、スライド装置１０１のスライド量を更に大きくすることにより、第一操作部５１の面積を十分に確保することができるだけでなく、第二操作部５２を本体側筐体１上面に設けることができる。この場合、例えば、表示側筐体２に表示部９よりも大きな表示部１０を設けることができる。
【００３１】
以上のように、本実施の形態では、ねじりコイルばね６の第二連結端６ｃを、第二部材４の長穴４ｂを摺動する可動部材５に連結し、長穴の長さ分のスライド量を増大したので、弾性部材の大きさや形状に制限されることなくスライド量を増大でき、操作部の面積を確保することにより、操作性の向上を図ることができる。また、表示側筐体２の第二操作部５２を本体側筐体に設けることにより、表示側筐体の表示部の拡大等、機能性の向上を図ることができる。
【００３２】
なお、本実施の形態では、第一磁石７、及び第二磁石８ａ、８ｂをスライド装置１０１に設けたが、図８に示すように、それぞれ表示側筐体２及び本体側筐体１に第一磁石１１、及び第二磁石１２ａ、１２ｂを設けてもよい。図８（ａ）は、第一磁石１１、及び第二磁石１２ａ、１２ｂを設けた携帯電話２０３の閉じた状態の正面図を示し、図８（ｂ）は、開いた状態の正面図を示す。図８（ｃ）は、開いた状態での側断面図を示す。
【００３３】
この場合、携帯電話２０３は、図８（ａ）に示す閉じた状態では、第一磁石１１と第二磁石１２ａが相対応する位置にあって互いに吸引力が働き、閉じた状態を維持する。また、図８（ｂ）及び図８（ｃ）に示す開いた状態では、第一磁石１１と第二磁石１２ｂが相対応する位置にあって互いに吸引力が働き、開いた状態を維持する。
【図面の簡単な説明】
【００３４】
【図１】本発明に係るスライド装置を備えた電子機器の実施の形態の構成を示す斜視図である。
【図２】本発明に係るスライド装置を備えた電子機器の実施の形態の構成を示す斜視図である。
【図３】本発明に係るスライド装置を備えた電子機器の実施の形態の構成を示す斜視図である。
【図４】本発明に係るスライド装置を備えた電子機器の実施の形態の構成を示す斜視図である。
【図５】本発明に係るスライド装置の実施の形態の構成を示す分解斜視図である。
【図６】本発明に係るスライド装置の実施の形態の構成を示す断面図である。
【図７】本発明に係るスライド装置の実施の形態の動作を示す平面図である。
【図８】本発明に係るスライド装置を備えた電子機器の実施の形態の他の構成を示す平面図である。
【符号の説明】
【００３５】
１  本体側筐体
２  表示側筐体
３  第一部材
３ａ  ガイド溝
３ｂ  第一連結穴
４  第二部材
４ｂ  長穴
４ｃ  第一摺動端
４ｄ  第二摺動端
４ｅ  第一端
４ｆ  第二端
５  可動部材
５ａ  第二連結穴
６  ねじりコイルばね
６ａ  コイル部
６ｂ  第一連結端
６ｃ  第二連結端
７  第一磁石
８ａ、８ｂ  第二磁石
１１  第一磁石
１２ａ、１２ｂ  第二磁石
１０１、１０２  スライド装置
２０１、２０２、２０３  携帯電話
【図１】
2008109368.tif 000003
【図２】
2008109368.tif 000004
【図３】
2008109368.tif 000005
【図４】
2008109368.tif 000006
【図５】
2008109368.tif 000007
【図６】
2008109368.tif 000008
【図７】
2008109368.tif 000009
【図８】
2008109368.tif 000010